(57)【要約】【課題】大画面のスマートフォンを片手で操作する場合に、親指で画面をより広く押さえることができるスマートフォンケースを提供することを課題とする。【解決手段】スマートフォンケースＸを、前面側にスマートフォンの画面が表出するようにスマートフォンを保持固定するケース本体１０と、前記ケース本体１０の背面側において、前記ケース本体１０に保持されるスマートフォンの長手方向にスライド可能に固定されるスライド部材２０であって、使用者の手に固定可能に形成されるスライド部材２０とから構成する。【選択図】図１
2020113961.tif 000002
【特許請求の範囲】
【請求項１】
前面側にスマートフォンの画面が表出するようにスマートフォンを保持固定するケース本体と、
前記ケース本体の背面側において、前記ケース本体に保持されるスマートフォンの長手方向にスライド可能に固定されるスライド部材であって、使用者の手に固定可能に形成されるスライド部材と
を有するスマートフォンケース。
【請求項２】
前記手の操作に応じて、前記ケース本体を前記スライド部材に対してスライドするように動かす操作機構が設けられた
請求項１に記載のスマートフォンケース。
【請求項３】
前記操作機構は、前記手の指により動かされる前記スライド部材に設けられる操作部材と、前記操作部材に連動する１以上の機械要素からなる連動機構であって、前記ケース本体と連結され、当該連動は前記ケース本体を前記スライド部材に対してスライドさせる動きである連動機構と
を有する請求項２に記載のスマートフォンケース。
【請求項４】
前記操作機構は、保持される前記スマートフォンを長手方向に関して下方が低くなる一定以上の高低差が生じるように位置づけることで、前記スマートフォン及び／又は前記ケース本体の重さにより下方側へ前記ケース本体をスライドさせることができる
請求項３に記載のスマートフォンケース。
【請求項５】
前記操作部材はケース本体背面に平行な面内を回動するレバーであり、前記連動機構は当該レバーに連結するリンク機構である
請求項３又は４に記載のスマートフォンケース。
【請求項６】
前記操作部材はケース本体背面に平行な面内を回動するレバーであり、前記連動機構は前記レバーにより回転する歯車を含む歯車機構である
請求項３又は４に記載のスマートフォンケース。
【請求項７】
前記連動機構は、ワイヤーと滑車の組み合わせによって形成される請求項３又は４に記載のスマートフォンケース。
【請求項８】
前記操作機構は前記手の指により操作されるスイッチと、当該スイッチの操作によって作動するモーターと、当該モーターの回転に連動して前記ケース本体がスライドするよう動かすスライド機構とを有する
請求項２に記載のスマートフォンケース。
【請求項９】
前記スライド部材は、前記手の指を通すリングが設けられ、当該リングを当該指に通すことで前記手に当該スライド部材が固定できるよう形成される
請求項１から８のいずれか１項に記載のスマートフォンケース。
【請求項１０】
前記リングは前記スライド部材に対して、着脱自在に設けられる請求項９に記載のスマートフォンケース。
【発明の詳細な説明】
【技術分野】
【０００１】  本発明は、スマートフォンを片手で操作するために用いるスマートフォンケースに関する。
【背景技術】
【０００２】  スマートフォンは発売当初は４インチ程度のものが主流であり、片手で操作する場合も画面の全範囲を親指で押さえる可能であった。しかし、近年のスマートフォンは５インチを越えるものがほとんどであり、片手で操作する場合に画面の全範囲を親指で押さえることが困難になっている。
このような問題を解決するために、スマートフォンの背面にリングやベルトを付けることが行なわれている。このようなリングやベルトを設けると、スマートフォンを持つときにスマートフォンのエッジを握るのではなく、ベルトやリングに指を通して支えることができるようになるので、エッジから人差指等が離れることで親指の付け根近傍をよりスマートフォンから離すことができ、この結果、親指でスマートフォンの画面を押さえることができる範囲を広くすることができる。
【発明の概要】
【発明が解決しようとする課題】
【０００３】  しかしながら、このようなベルトやリングを用いても特に５．５インチを越えるような画面のスマートフォンに対して片手でスマートフォンを操作する場合、やはり画面全体を完全に親指で押さえるようにすることは難しい。
本発明は、このような問題に鑑みて、大画面のスマートフォンを片手で操作する場合に、親指で画面をより広く押さえることができるようにすることを課題とする。
【課題を解決するための手段】
【０００４】  上記課題を解決するために、本発明は次のような構成を有する。
請求項１に記載の発明は、前面側にスマートフォンの画面が表出するようにスマートフォンを保持固定するケース本体と、前記ケース本体の背面側において、前記ケース本体に保持されるスマートフォンの長手方向にスライド可能に固定されるスライド部材であって、使用者の手に固定可能に形成されるスライド部材とを有するスマートフォンケースである。ケース本体は、一般的な前面が開放した箱型のもののほか、背面側の無い枠だけのものや、骨組みだけでスマートフォンケースの角や側面を保持するものなど、スマートフォンを保持できれる種々の形態が含まれる。また、スライド可能に固定する手段として、ケース本体又はスライド部材の一方に設けられるレールと、反対側に設けられるレールに沿って異動可能に固定される移動体が例示される。さらに、手とスライド部材との固定には、手の指でスライド部材の一部を掴んだり、挟んだりすることによる固定が含まれる。【０００５】  請求項２に記載の発明は、前記スマートフォンケースにおいて、前記手の操作に応じて、前記ケース本体を前記スライド部材に対してスライドするように動かす操作機構が設けられたものである。
請求項３に記載の発明は、請求項２に記載のスマートフォンケースにおいて、前記操作機構が、前記手の指により動かされる前記スライド部材に設けられる操作部材と、前記操作部材に連動する１以上の機械要素からなる連動機構であって、前記ケース本体と連結され、当該連動は前記ケース本体を前記スライド部材に対してスライドさせる動きである連動機構とを有するものである。
請求項４に記載の発明は、請求項３に記載のスマートフォンケースにおいて、前記操作機構は、保持される前記スマートフォンを長手方向に関して下方が低くなる、一定以上の高低差が生じるように位置づけることで、前記スマートフォン及び／又は前記ケース本体の重さにより下方側へ前記ケース本体をスライドさせることができるものである。【０００６】  請求項５に記載の発明は、請求項３又は４に記載のスマートフォンケースにおいて、前記操作部材はケース本体背面に平行な面内を回動するレバーであり、前記連動機構は当該レバーに連結するリンク機構である。
請求項６に記載の発明は、請求項３又は４に記載のスマートフォンケースにおいて、前記操作部材はケース本体背面に平行な面内を回動するレバーであり、前記連動機構は前記レバーにより回転する歯車を含む歯車機構である。
請求項７に記載の発明は、請求項３又は４に記載のスマートフォンケースにおいて、前記連動機構は、ワイヤーと滑車の組み合わせによって形成されるものである。
請求項８に記載の発明は、請求項２に記載のスマートフォンケースにおいて、前記操作機構は前記手の指により操作されるスイッチと、当該スイッチの操作によって作動するモーターと、当該モーターの回転に連動して前記ケース本体がスライドするよう動かすスライド機構とを有するものである。【０００７】  請求項９に記載の発明は、前記スマートフォンケースにおいて、前記スライド部材は、前記手の指を通すリングが設けられ、当該リングを当該指に通すことで前記手に当該スライド部材が固定できるよう形成されるものである。
請求項１０に記載の発明は、請求項９に記載のスマートフォンケースにおいて、前記リングは前記スライド部材に対して、着脱自在に設けられるものである。
【発明の効果】
【０００８】  以上のような構成により本発明は、次のような効果を奏する。
請求項１に記載の発明は、使用者の操作する手をスライド部材に固定すれば、スマートフォンを保持するケース本体は操作する手に対して、スマートフォンの長手方向にスライドすることができる。大型のスマートフォンを片手で操作する場合、親指で画面を広く押すことができないのは、操作する手がスマートフォンの長手方向に移動できないことが主な原因であるが、このようにスマートフォンを保持するケース本体が操作する手に対して長手方向にスライドできることで、操作する手の親指でスマートフォンの画面を広く押すようにすることができる。【０００９】  請求項２に記載の発明は、操作機構を設けることで手の操作でケース本体をスライド部材に対してスライドさせることができるので、より操作性を高くすることができる。
請求項３に記載の発明は、指の力を機械要素の組み合わせで伝達してケース本体をスライド部材に対してスライドさせるので、電力等のエネルギーの供給を不要とすることができる。
請求項４に記載の発明は、一方向のスライドを重力でまかなうことで、操作機構の構造をより簡易にすることができる。【００１０】  請求項５に記載の発明は、リンク機構を用いて操作機構を実現することで、構造を簡易にでき、薄く軽量な操作機構を実現することができる。
請求項６に記載の発明は、歯車機構を用いて操作機構を実現することで、指の操作量に対するスライド量の調節を細かく行なうことができる。
請求項７に記載の発明は、操作機構をワイヤーと滑車の組み合わせで実現することで、操作部材の動作は引っ張ることができればよいので、操作部材を回転以外の任意の動かし方で動かすようにすることができ、操作部材の設計の自由度を高めることができる。
請求項８に記載の発明は、操作機構をモーターにより動作するようにすることで、スイッチのオンオフで簡単にケース本体のスライド動作を行なわせることができ、使用者の操作時の労力を低減することができる。【００１１】  請求項９に記載の発明は、指を通すリングを用いて手をスライド部材に固定するようにすることで、簡単な構造でケース本体の不意の落下を抑制することができる。
請求項１０に記載の発明は、リングを着脱可能とすることで、収納時にリングを取り外すことでリングが邪魔になることを防ぐことができる。
【図面の簡単な説明】
【００１２】
【図１】  （ａ）は実施形態に係るスマートフォンケースＸの背面から見た斜視図であり、（ｂ）は実施形態に係るスマートフォンケースＸの正面から見た斜視図である。
【図２】  （ａ）は背面側から見た固定リング近傍の拡大図あり、（ｂ）はケース本体に対して固定リングを分離させる様子を示す拡大図である。
【図３】  （ａ）は人差指を固定リングに通して中指及び薬指に力を入れていない状態のスマートフォンケースＸの背面図を示し、（ｂ）は（ａ）の状態から中指と薬指でアームを握った状態のスマートフォンケースＸの背面図である。
【図４】  （ａ）に人差指を固定リングに通して中指及び薬指に力を入れていない状態のスマートフォンケースＸの正面図をであり、（ｂ）は（ａ）の状態から中指と薬指でアームを握った状態の本スマートフォンケースＸの正面図である。
【図５】  変形例１に係るスマートフォンケースＹの背面図である。
【図６】  変形例２に係るスマートフォンケースＺの背面図である。
【図７】  変形例３に係るスマートフォンケースＶの背面図である。
【図８】  変形例４に係るスマートフォンケースＷの背面図である。
【発明を実施するための形態】
【００１３】  以下、本発明の実施の形態について、図面を参照しながら説明する。図１（ａ）は実施形態に係るスマートフォンケースＸの背面から見た斜視図であり、（ｂ）はスマートフォンケースＸの正面から見た斜視図である。図１において右側がスマートフォンケースＸの上端側となる。スマートフォンケースＸはケース本体１０、スライド部材２０、操作機構３０、固定リング４０から構成される。
ケース本体１０は所定のスマートフォンを画面が表出するよう保持固定する正面側が開放した偏平な箱状体で、背面側には大きな開口が形成されている。ケース本体１０背面の両端にはそれぞれレール１１が長手方向に沿って設けられている。レール１１は互いに対向する面にＶ字状の溝が形成されている。２本のレール１１の内、後述する固定リング４０が取り付けられる側のレール１１は、当該固定リング４０の固定部分に干渉しないように下端からケース本体１０の約半分程度の長さに設定されている。
【００１４】  スライド部材２０は、前記レール１１の間にスライドするように固定される板体である。スライド部材２０のスライド方向に沿った両縁部には、レール１１の溝に係合する角部が形成された突条が形成され、両縁部間の距離は両レール１１間に係合する幅に設定され、スライド部材２０の厚さもレール１１の高さにほぼ一致するように設定されている。スライド部材２０の後述する固定リング４０が固定される部分は他よりも厚くなっており、固定リング４０の台座となるリング台座２３を形成する。また、リング台座２３から下端側にはレール１１を跨いでケース本体１０側面を覆うよう仕切り２２が設けられている。
【００１５】  操作機構３０は、Ｌ字部材３１とストレート部材３２とを構成要素とするリンク機構を形成している。Ｌ字部材３１はＬ字状の板体であり、角部に設けられた穴がスライド部材２０に設けられた回転軸２４に回転自在に固定されている。角部から下方側のアーム３１ｂは、上方側のアーム３１ａの長さの約１．５倍程度長くなるように形成される。ストレート部材３２は長い板体であり、下端側に設けられた穴がケース本体１０背面に設けられた回転軸１３に回転自在に固定される。また、ストレート部材３２の上端側には回転軸３２ａが設けられ、この回転軸３２ａにＬ字部材３１の下端側のアーム３１ｂの先端に設けられた穴が回転自在に固定されている。Ｌ字部材３１のアーム３１ａは操作者の指で動かされる操作部材を構成し、Ｌ字部材３１のアーム３１ｂとストレート部材３２とが前記操作部材に連動する連動機構を構成する。
【００１６】  固定リング４０は使用者が人差指を通して手にスライド部材２０を固定するためのものであり、支持板４１、リング側部４２、リング上部４３、リング下部４４から構成される。支持板４１はスマートフォンケース背面側の端がスライド部材２０のリング台座２３に固定され、正面側の端にリング上部４３、リング下部４４の端縁が固定されている板体である。リング上部４３、リング下部４４の支持板４１に固定されていない両端縁はリング側部４２の両端縁と一体に固定されることでリングを形成している。リング上部４３は正面側に膨らむ円弧を形成する線状体であり、リング下部４４は背面側に膨らむ円弧を形成する線状体である。リング側部４３は円弧状の板体であり、背面側から正面側に向かって外径が大きくなり、すり鉢の側面のような形状に形成されている。
支持板４１とリング台座２３とは着脱可能に固定されている。図２（ａ）に背面側から見た固定リング４０近傍の拡大図を示す。支持板４１には隠れ線（点線）で示す円弧状の突起４１ａが固定されているとともに、リング台座２３はこの隠れ線（点線）に合致する円弧状の穴が形成されており、支持板４１は突起４１ａがこの穴に嵌ることでリング台座に固定されている。そして図２（ｂ）に示すように、突起４１ａの円弧に沿うように固定リング４０を回転させると、突起４１ａが穴から抜けて、支持板４１を含む固定リング４０をリング台座２３から取り外すことができる。なお、固定リング４０とケース本体１０とにはそれぞれ近い位置に止め輪４５、１２が設けられており、これらをチェーン等で連結すれば、取り外した固定リング４０がケース本体１０から離れないようにすることができる。
【００１７】  次に、以上のような構成を有するスマートフォンケースＸの使用方法について説明する。まず、使用者はケース本体１０に対応するスマートフォンを嵌め入れ固定する。そして、操作する手、本スマートフォンケースＸでは右手の人差指を固定リング４０に通すことで操作する手をスマートフォンケースＸに固定する。図３（ａ）に、人差指を固定リング４０に通して中指及び薬指に力を入れていない状態の背面図を示し、図４（ａ）に同じ状態の正面図を示す。この状態ではスマートフォンＳの重さで、ケース本体１０はスライド部材２０に対して下方にスライドした状態となる。図４（ａ）に示すように、この状態では、操作する手の親指はスマートフォンＳの画面の下方の一定範囲を押さえることができない。この状態から画面の下方の一定範囲を親指で押さえるには、Ｌ字部材３１のアーム３１ａに掛かっている中指及び薬指で握ればよい。握った状態の背面図を図３（ｂ）に示し、正面図を図４（ｂ）に示す。図３（ｂ）に示すようにアーム３１ａを握ることで、Ｌ字部材３１が回転してＬ字部材３１の下端側のアーム３１ｂの端部は上方へと移動し、これによりアーム３１ｂの端部に連結しているストレート部材３２及びストレート部材３２に連結しているケース本体１０も上方へと移動することとなる。これにより図４（ｂ）に示すように、操作する手の親指に対してケース本体１０及びケース本体１０に保持されているスマートフォンＳも上方に移動することとなり、アーム３１ａを握る前は押さえることができなかったスマートフォンＳの下方の一定範囲を操作する手の親指で押さえることができるようになる。なお、アーム３１ａを握る力を緩めると、スマートフォンＳの重さで勝手にケース本体１０は下方に下がるので、アーム３１ａを握る力を調節することで、ケース本体１０のスライドする位置を任意に調節することができる。
以上説明したように、本実施形態に係るスマートフォンケースＸを用いれば、片手でスマートフォンを操作する場合でもスマートフォンの長手方向の位置を変えることができるので、スマートフォンの画面をより広く押さえるようにすることが可能となる。
【００１８】（変形例１）
図５に変形例１に係るスマートフォンケースＹの背面図を示す。スマートフォンケースＹは、操作機構と、固定リングを無くし、固定リングの代わりに、固定ベルト４０Ａをスライド部材２０Ａの中央に設けたものである。固定ベルト４０Ａは弾性のあるベルト体であり、ここに指を挟むことで操作する手をスライド部材２０Ａに固定することができる。スマートフォンケースＹは操作機構がないので、ケース本体１０を移動させる場合は、スマートフォンケースＹを移動させたい方が下になるようにに傾ければ、スマートフォンの重さによりケース本体１０は下方に移動するのでケース本体１０を望む方向へスライドさせることができる。もしくは、ケース本体１０をほぼ水平に保った状態で、操作する親指を用いてケース本体１０を任意の方向に移動させるようにすることもできる。
【００１９】（変形例２）
図６に変形例２に係るスマートフォンケースＺの背面図を示す。スマートフォンケースＺは操作機構５０として歯車機構が用いられている。歯車機構は、指で動かされる操作部材としてのレバー５１が一体に固定されている、スライド部材２０Ｂに回転軸が回転するよう固定された扇型の第一歯車５２、スライド部材２０Ｂに回転軸が回転するよう固定された、第一歯車５２に係合する小径の第二歯車５３及び第二歯車５３と回転軸を共通にして下面側で一体となった第二歯車の約２倍の径を有する第三歯車５４、スライド部材２０Ｂに回転軸が回転するよう固定された第三歯車５４に係合するピニオン５５、ピニオン５５に係合しケース本体１０Ｂに固定されたラック５６とから構成されている。
【００２０】（変形例３）
図７に変形例３に係るスマートフォンケースＶの背面図を示す。スマートフォンケースＶは操作機構６０としてワイヤーと滑車が用いられている。操作機構６０は、一端がスライド部材２０Ｃに固定され他端がケース本体１０Ｃに固定されたワイヤーが掛けられた動滑車６１、スマートフォンの長手方向に直交する方向にスライドするレバー６２、レバーと動滑車６１の回転軸とを連結するワイヤーが掛けられ、レバー６２のリング側への動きを動滑車６１の回転軸が上方に向かう動きに変換する定滑車６３、６４とから構成されている。
【００２１】（変形例４）
図８に変形例４に係るスマートフォンケースＷの背面図を示す。スマートフォンケースＷは操作機構７０としてモーター７１、スイッチ７２、ピニオン７３、ラック７４が用いられている。モーター７１はスライド部材２０Ｄに固定され、比較的低速かつ高トルクで回転する。ピニオン７３はモーター７１の回転軸に固定される。ラック７４はピニオン７３に係合し、ケース本体１０Ｄに固定されている。スイッチ７２はモーター７１をオンオフするためのもので、操作者の手で操作しやすい位置に設けられる。ここでは、スイッチ７２を押すとモーターは回転し、もう一度押すと止まるように構成されるとともに、回転方向が交互に入れ替わるようになっている。また、図示しないセンサにより、両端位置においてモーターが止まるようになっている。なお、モーター７１の制御は例示したものに限られず種々の制御方法を採用してよいことはいうまでもない。
【符号の説明】
【００２３】Ｘ、Ｙ、Ｚ、Ｖ、Ｗ  スマートフォンケース
１０、１０Ａ、１０Ｂ、１０Ｃ、１０Ｄ  ケース本体
２０、２０Ａ、２０Ｂ、２０Ｃ、２０Ｄ  スライド部材
３０、５０、６０、７０  操作機構
４０  固定リング
【図１】
2020113961.tif 000003
【図２】
2020113961.tif 000004
【図３】
2020113961.tif 000005
【図４】
2020113961.tif 000006
【図５】
2020113961.tif 000007
【図６】
2020113961.tif 000008
【図７】
2020113961.tif 000009
【図８】
2020113961.tif 000010